Podtech/llm-jp-corpus-v4-ja_patent huggingface dataset:
(57)【要約】      （修正有）【課題】地球温暖化を防止し、生物が生存するための水供給を行える、一定の条件下で降雨させるシステムの提供。【解決手段】船舶やボイラー等の蒸気発生装置等により発生させた高圧蒸気を一定の条件で上空に噴射し、それによって上昇気流を発生させることにより空気中の水蒸気を上昇させて雲を上空に生成させ、地球の一定範囲を部分的に覆って太陽熱を遮断し降雨させる自然条件を利用した人工的な地球温暖化防止・水供給システム。【選択図】図２
2010155957.tif 000002
【特許請求の範囲】
【請求項１】
人類の社会生活等によって排出される「二酸化炭素ガス：ＣＯ２」によって地球が温暖化することにより、現在の科学的推計により人類滅亡に至ると予想されている地球温暖化を防止し、併せて、生物が生存するための水供給等を行うため、船舶等と蒸気や温水等を発生させるボイラー等を使用し、雲を生成させて地球を一定の範囲で部分的に覆って太陽熱を遮断し、かつ、降雨させる等の自然条件を利用した人工的な地球温暖化防止・水供給等システム。
【請求項２】
船舶とボイラー等の蒸気発生装置の例で説明すると、図１及び図２のとおり、船舶数隻を一定距離の円周上に配置し、各船舶に積載したボイラー等で発生させた高圧蒸気を一定の角度で、円の中心部上空に噴射し、それによって上昇気流を発生させることにより空気中の水蒸気を上昇させて雲を上空に生成させ、一定の条件により降雨させる地球温暖化防止・水供給等システム。
【請求項３】
蒸気システムによる降雨のコントロールを行う方法の例としては、請求項２に示す船舶配置の円周の大小、蒸気の圧力、温度、放射角度、噴射時間等を最適条件に調整して行う、降雨等させる地球温暖化防止・水供給等システム。
【請求項４】
請求項３の、蒸気を噴射する平面での噴射方向は、北半球では渦の回転方向が「左廻り」となるように、中心から若干右側に向かって噴射する方法により行う地球温暖化防止・水供給等システム。
【発明の詳細な説明】
【発明の詳細な説明】
【技術分野】
【０００１】  本発明は、地球温暖化を防止し、併せて、生物が生存するための水供給等を行うため、船舶等と蒸気や温水等を発生させるボイラー等を使用し、雲を生成させて地球を一定の範囲で部分的に覆って太陽熱を遮り、かつ、降雨させる等の自然条件を利用した人工的な地球の温暖化を防止し、水を供給するためのシステムに関すること。
【背景技術】
【０００２】  地球温暖化の最大の原因は、人間が社会生活を営むために大変便利な「石油」、「石炭」、「天然ガス」等の石油資源を多大に消費することにより生じた炭酸ガス（ＣＯ２）が大気中に放出された結果、そのガスが温室効果となって地球が温暖化し、今後ますますその度合いを強めることが予想されているが、それを防止する手だてはなく、単にその進行を緩やかにするための方法としての使用の抑制や、排出量の低減措置等であって、抜本的有効対策はないという現状である。
その理由は、大気に放出された大量のＣＯ２を回収し、又は消滅する技術は未知の分野であり、これを抜本的に解決する技術はほとんど無に等しいこと。
【発明が解決しようとする課題】
【０００３】  従来までの地球温暖化防止策等は、単にその進行を緩やかにするための方法としての使用の抑制や、排出量の低減措置程度等であって、抜本的対策はないという点が問題であった。
【０００４】  本発明の地球温暖化防止・水供給等システムは、従来の技術では解決できなかった地球温暖化防止の抜本的解決を図ることを目的としている。
【０００５】
【課題を解決するための手段】
および
【発明を実施するための形態】
上記目的を達成するために本発明の地球温暖化防止・水供給等システムは、前記の請求項１から４のとおり、船舶とボイラー等の蒸気発生装置の例で説明すると、図１及び図２のとおり、船舶を、例えば６隻を直径１キロメートルの円周上にほぼ等間隔に配置し、各船舶に積載したボイラー等で発生させた高圧蒸気を一定の角度で、円の中心部上空に噴射し、それによって上昇気流を発生させることにより空気中の水蒸気を上昇させて雲を上空に生成させ、一定の条件により降雨させることにより地球の温暖化を防止し、併せて、水不足を解消する。
【０００６】    蒸気システムによる降雨のコントロールを行う方法の例としては、図１及び図２に示す船舶配置の円周の大小、配置場所、蒸気の圧力、温度、放射角度、噴射時間等を最適条件に調整して行い、最良の条件で雲の生成や降雨等を発生させる。
【０００７】  請求項３の、蒸気を噴射する平面での噴射方向は、北半球では渦の回転方向が「左廻り」となるように、中心から若干右側に向かって噴射する方法にて行うことにより、大気中に含まれる水蒸気を伴う気流が渦となって上昇して上空に大量の雲を生成させて雨雲に成長させ、その結果、砂漠地方や乾燥地域等の必要箇所に雨を降らせことを可能とすることにより、地球の温暖化を防止し、水を供給するシステム。
【発明の効果】
当発明によって、地球が既に温暖化し、更に温暖化が加速して人類滅亡へのシナリオに向かって突き進んでいる現状を阻止し、少なくとも地球温暖化と水不足という環境破壊から来る人類滅亡の危機を回避することが可能となる。
【図面の簡単な説明】
【図１】  当発明の概要を、海上で船舶により実施する例を示すための「平面図」による配置状況等の説明図
【図２】  同上の図１を、側面から見た「断面図」による説明図
【符号の説明】        １  船舶
２  蒸気噴射ノズル
３  噴射された蒸気
４  水蒸気
５  上昇気流が生じ、雲が生成
６  雲
７  降雨
８  雲が順次生成し、移動
９  海面
【図１】
2010155957.tif 000003
【図２】
2010155957.tif 000004
(57)【要約】【課題】  通気性必要とする長尺巻物に、微少多孔を長尺巻物の所定の位置に所定の範囲内のみに熱溶融された孔を開ける装置を提供する。【解決手段】  本願発明は長尺巻物によつて、提供される、たとえば、プラスチック製フイルムを間欠的に送られるフイルムの表面に本願発明の微少多孔開け装置を、上下移動装置により、フイルム面に圧着させて、フイルム面の所定の位置のみに、穴を開ける技術的手段である。  さらに、本願発明は、電気式発熱体と多数の穴開け用の針が設けられていることによって、本発明を用いて、穴を開けると、穴の回りが熱溶融されている、さらに、孔開け用針のかずが自由に変更できることを特徴とする。【選択図】図１
2010155327.tif 000002
【特許請求の範囲】
【請求項１】
長尺巻物に微小多孔を開ける装置であって、
微小多孔開け装置本体部と、この装置本体部を上下移動させる上下駆動部を備えている装置であって、
長尺巻物を間欠送り機構が設けられている装置において、
電気式発熱体に微小多孔開け用針が多数設けられ、微小多孔開け用針が熱せられている針と、さらに、微小多孔開け用針の数が自由に変更できることを特徴とする、微小多孔開け装置。
【発明の詳細な説明】
【発明の詳細な説明】
【技術分野】
【０００１】  本発明は、長尺巻物に通気性を必要とする袋、または、包装具に微小多孔を開ける装置に関する。
【背景技術】
【０００２】  従来の長尺巻物の孔開け装置は丸孔用の雄、雌の切り刃式の装置が使用されている。
雄、雌の切り刃式の装置では、孔数と孔の大きさに限度があります。【０００３】  丸刃式の熱孔装置においては、丸刃の孔の中を切り離された巻物部分が溶けて通過するため、孔の大きさ限度があり、一定の範囲ないに多数の孔を開けることができない。【０００４】  孔開け用の針を熱せないで、孔を開けると、孔の周囲より破けることが多く有ります。【０００５】  円形のロール式の熱孔開け装置が有りますが、ロールに針を設け、熱を加えて、回転させながら孔を開ける装置においては、円方向に連続的に孔を開けることはできますが、間欠的に指定の位置にのみ、孔を開けることができない。【０００６】  前述べ装置では、孔開け用の針の数を自由に変更できない。
【発明の開示】
【発明が解決しょうとする課題】
【０００７】  上記の課題を解決するため、本願発明では、次の技術的手段を採用した。
【０００８】  本願発明は長尺巻物によつて提供される、たとえば、プラスチック製フイルムを間欠的に送られるフイルムの表面に本願発明の微少孔開け装置を、上下駆動装置により、上部よりフイルム面に圧着させて、フイルム面の所定の位置のみに、孔を開ける手段である。
【０００９】  本願発明の、孔開け装置は、孔開け用針を使用するため、制限された面積に多数の針を設けることができる。
【００１０】  孔開け用針には、電気式加熱装置によつて、孔開け用針を熱している。
【００１１】  本願発明は、上下駆動式を採用し、また、間欠送り装置を採用している。よつて、所定の位置のみに孔を開けることができる。
【００１２】  上記孔開け用針の数が自由に、針のみを、増やしたり、減らしたり、変更することができる。
【発明を実施するための最良の形態】
【００１３】  以下、本発明の好ましい実施の形態につき、図面を参照して具体的に説明する。【００１４】  本願発明は長尺巻物６に通気性の良い、微少多孔を開ける、微少多孔開け装置Ａである。【００１５】  本願発明の好ましい実施の形態においては、微少孔開け装置Ａ本体部と前述べ装置を上下させる、上下移動部が設けられている。【００１６】  上記微少孔開け装置Ａによつて、微少孔開け装置Ａとフイルムを受け台２にて、圧着させて、熱溶融穴４を形成することを特徴とする。【００１７】  上記微少孔開け装置Ａは、電気式発熱体Ｂと多数の孔開け用の針Ｃが設けられている。孔開け用針は電気式発熱体Ｂによって、熱せられている。【００１８】  さらに、たとえば、プラスチツク製フイルム６を一方方向３に間欠的に送ることのできるフイルム送り装置１が設けられている。【００１９】  上記フイルム６が間欠的に送られ、停止状態時に、本願発明の微少孔開け装置Ａが上下移動部によって、下に移動し、フイルム面６に圧着し、微少孔開け装置Ａの熱せられている微少孔開け装置の孔開け用針Ｃと受け台２によつて、フイルム面６に熱溶融された孔が開けられる。【００２０】  上記熱溶融された後、孔開け装置は上下移動装置によつて、上に移動する。孔開け装置が上に移動後、フイルム送り装置によつて、進方向３に一定間隔フイルムを送る。【００２１】  以上説明したように、この微少孔開け装置Ａは、それぞれの、装置、機構を繰り返し、連続てきに、フイルムに多数の微少な熱溶融孔、第６図４を開けることができる。【００２２】  本願発明の微少孔開け装置Ａの孔開け用針Ｃは、電気式発熱体Ｂによって熱せられる、微少多孔開け装置Ａに直接、一本、一本ねじ式にて取り付けられている。よって、取り外しは自由である。【００２３】  本願発明の孔開け用針は、丸針に限定しない、たとえば、板状に数個の突起を設けた突き刺し針状も使用することができる。【００２４】  参考、たとえば、微少多孔４の大きさ、一孔がφ０．５ミリ、φ０．６ミリ、φ１．５ミリ、孔４と孔４の間隔１．５ミリ、２ミリ、３ミリ、４ミリ、５ミリ、間隔、孔の数は１００ミリ角に１．０００孔に相当する、微少多孔を開けることを特徴とする。【００２５】  もちろん、この発明の範囲は上述した実施形態に限定されるものではなく、各請求項に記載した事項の範囲内でのあらゆる変更は、すべて本願発明の範囲に含まれる。【００２６】  たとえば、プラスチック製フイルム以外の長尺巻物、または、一定間隔に切断されるもの、袋に加工されるもの、さらに、長尺に巻き取られるといった使用方法をとることも可能である。
【図面の簡単な説明】
【図１】本願発明にかかる孔開け装置の針部の一実施形態の側面図
【図２】図１に示す孔開け装置の針部の平面図
【図３】本願発明の孔開け装置と、間欠送り装置の側面図
【図４】孔開け部の孔の拡大説明図の断面図
【図５】図４の平面図
【図６】実施形態の説明平面図
【符号の説明】
Ａ  微少多孔開け装置
Ｂ  電気式発熱体
Ｃ  孔開け用針
Ｄ  実施形態の説明用長尺巻物
１  間欠送り機構
２  受け台
３  進行方向
４  熱溶融孔
５  熱溶融孔の回り
６  長尺巻物
【図１】
2010155327.tif 000003
【図２】
2010155327.tif 000004
【図３】
2010155327.tif 000005
【図４】
2010155327.tif 000006
【図５】
2010155327.tif 000007
【図６】
2010155327.tif 000008
(57)【要約】【課題】輸液等を行う際に使用される留置針において、非輸液時に留置針内腔が血栓閉塞するのを防ぐ血栓閉塞防止具を提供する。【解決手段】本発明は、留置針内腔７に挿入することにより留置針内腔７への血液の逆流と血栓閉塞を防止できる棒状体１を具備した血栓閉塞防止具５で、非輸液時に、前記血栓閉塞防止具５を留置針６に装着することにより、ヘパリンロックすることなく留置針内腔７の血栓閉塞を確実に防止できる。前記血栓閉塞防止具５を留置針６より抜去すれば、輸液を再開することができる。【選択図】図１
2010155121.tif 000002
【特許請求の範囲】
【請求項１】
留置針内腔（７）に挿入することにより留置針内腔（７）への血液の逆流と血栓閉塞を防止できるように、留置針（６）の先端部では留置針内腔（７）に液密性に嵌合する形状であり、長さは留置針（６）の先端からわずかに血管内に出る程度の棒状体（１）と、
棒状体（１）に直接触れることなく、棒状体（１）の留置針内腔（７）への出し入れを操作できる保持部（２）と、棒状体（１）を留置針内腔（７）の適切な位置に固定するための固定部（３）とを有する血栓閉塞防止具（５）。
【請求項２】
外部から細菌や異物が留置針内腔（７）へ侵入するのを防止する密閉部（４）を有する請求項１記載の血栓閉塞防止具（５）。
【請求項３】
前記固定部（３）は、留置針（６）の基端部に液密性に嵌合する形状となっており、嵌合した際の摩擦抵抗によって棒状体（１）を留置針内腔（７）の適切な位置に固定可能である請求項１または請求項２記載の血栓閉塞防止具（５）。
【請求項４】
前記固定部（３）は、留置針（６）の基端部に螺着するためのねじ山（１０）を設けた請求項１または請求項２記載の血栓閉塞防止具（５）。
【発明の詳細な説明】
【技術分野】
【０００１】
本発明は、輸液等を行う際に使用される留置針において、非輸液時に、血栓により留置針内腔が閉塞するのを防止するためのものである。
【背景技術】
【０００２】
留置針を使用し間欠輸液する場合、非輸液時には、血栓により留置針内腔が閉塞しないように、留置針内腔をヘパリンロックする必要があった。
【先行技術文献】
【特許文献】
【０００３】
【特許文献１】特開平８−１８７２８６号公報
【発明の概要】
【発明が解決しようとする課題】
【０００４】
ヘパリンロックする場合、あらかじめヘパリン溶液を注射器に吸って用意する必要があり、手技も煩雑であった。また、ヘパリンロック後時間が経過すると、血栓により留置針内腔が閉塞する可能性が大きくなり、効果が不確実であった。またヘパリンロックする場合、少量ではあるが体内にヘパリンを注入することになり、ヘパリンに対してアレルギーのある患者などでは、持続輸液するか、留置針を抜去するしかなかった。
【課題を解決するための手段】
【０００５】
本発明は、留置針内腔に挿入することにより留置針内腔への血液の逆流と血栓閉塞を防止できる棒状体を具備した血栓閉塞防止具で、非輸液時に、前記血栓閉塞防止具を留置針に装着することにより、ヘパリンロックすることなく留置針内腔の血栓閉塞を確実に防止できる。前記血栓閉塞防止具を留置針より抜去すれば、輸液を再開することができる。
【発明の効果】
【０００６】
本発明の血栓閉塞防止具を用いれば、ヘパリンロックすることなく、留置針内腔の血栓閉塞を長時間にわたって、確実にかつ容易に防止することが可能である。
【図面の簡単な説明】
【０００７】
【図１】本発明第一実施例の血栓閉塞防止具を留置針に装着した際の断面概略図である。
【図２】本発明第一実施例の血栓閉塞防止具を、内部に逆流防止弁を設置した留置針に装着した際の断面概略図である。
【図３】本発明第一実施例の血栓閉塞防止具を、逆流防止装置を外部に接続した留置針に装着した際の断面概略図である。
【図４】本発明第二実施例の血栓閉塞防止具を留置針に装着した際の断面概略図である。
【発明を実施するための形態】
【実施例】
【０００８】
本発明の血栓閉塞防止具を図面に示した実施例を用いて説明する。
図１は、本発明第一実施例の血栓閉塞防止具５を留置針６に装着した際の断面概略図である。
血栓閉塞防止具５は、留置針内腔７に挿入することにより留置針内腔７への血液の逆流と血栓閉塞を防止できる棒状体１と、棒状体１の一端に形成され、棒状体１に直接触れることなく棒状体１の留置針内腔７への出し入れを操作できる保持部２と、棒状体１を留置針内腔７の適切な位置に固定するための固定部３からなる。この第一実施例では、固定部３の形状を、留置針６の基端部に液密性に嵌合する形状とすることにより、固定部３と留置針６の基端部とが嵌合した際の摩擦抵抗によって、棒状体１を留置針内腔７の適切な位置に固定することができる。さらに固定部３は、外部から細菌や異物が留置針内腔７へ侵入するのを防止する密閉部４としての機能も有している。
【０００９】
血栓閉塞防止具５を留置針６に装着した際、血管内から留置針内腔７に血液が逆流しないように、棒状体１の形状は、少なくとも留置針６の先端部では留置針内腔７に液密性に嵌合する形状であり、棒状体１の長さは、留置針６の先端よりわずかに血管内に出る程度が適当である。棒状体１の材質は、柔軟性にとみ、抗血栓性にすぐれた材質が適している。
【００１０】
図２は、本発明第一実施例の血栓閉塞防止具５を、内部に逆流防止弁８を設置した留置針６に装着した際の断面概略図である。
棒状体１は、留置針６の内部に設置された逆流防止弁８を液密性に挿通可能である。
図３は、本発明第一実施例の血栓閉塞防止具５を、逆流防止装置９を外部に接続した留置針６に装着した際の断面概略図である。
棒状体１は、留置針６の外部に接続された逆流防止装置９を液密性に挿通可能である。
【００１１】
図４は、本発明第二実施例の血栓閉塞防止具５を留置針６に装着した際の断面概略図である。
血栓閉塞防止具５は、留置針内腔７に挿入することにより留置針内腔７への血液の逆流と血栓閉塞を防止できる棒状体１と、棒状体１の一端に形成され、棒状体１に直接触れることなく棒状体１の留置針内腔７への出し入れを操作できる保持部２と、棒状体１を留置針内腔７の適切な位置に固定するための固定部３と、外部から細菌や異物が留置針内腔７へ侵入するのを防止する密閉部４からなる。固定部３には、留置針６の基端部に螺着するためのねじ山１０を設けてあり、これにより棒状体１を留置針内腔７の適切な位置により確実に固定することができる。
【００１２】
前記第一実施例ならびに第二実施例に限らず、間欠輸液する際に、非輸液時には、留置針内腔７への血液の逆流と血栓閉塞を防止できる棒状体１を留置針内腔７に挿入し、輸液時には、前記棒状体１を留置針内腔７より抜去してなる血栓閉塞防止システムを用いれば、非輸液時に、ヘパリンロックすることなく留置針内腔の血栓閉塞を確実に防止できる。
【符号の説明】
【００１３】
１ 棒状体
２ 保持部
３ 固定部
４ 密閉部
５ 血栓閉塞防止具
６ 留置針
７ 留置針内腔
８ 逆流防止弁
９ 逆流防止装置
１０ ねじ山
【図１】
2010155121.tif 000003
【図２】
2010155121.tif 000004
【図３】
2010155121.tif 000005
【図４】
2010155121.tif 000006
(57)【要約】【課題】携帯電話、ＧＰＳ等の端末機器を携帯して自転車自動車等乗り物で使用する際、使用する機器の様々な大きさ形に順応でき両手が使えない乗車中でも作動が確認でき、複数の機器を並べて使用しても滑落しない端末機器を固定する曲線フェンスを提供する。【解決手段】フレンチパイル等の起毛加工した素材で覆われた台座を適宜目視出来る位置にゴムバンド、アダプター等で固定し、一方雄の面ファスナーを長手方向に芯材を挟んで２つ折にトリミングし、反対側から雄面ファスナーの両壁面を覆うテープでトリミミングして曲線フェンスを形成する。曲線フェンスの雄面ファスナーが露出している折り返した線と台座の起毛材に依って接着関係が保たれ曲線フェンスは台座に対して直角に起立する。使用する端末機器の外枠に合わせて曲線フェンスを形成すれば収めた機器が滑落することが無い。【選択図】図２
2010155585.tif 000002
【特許請求の範囲】
【請求項１】
雄の面ファスナーの雄面を表にして長手方向に２つ折にし、ビニールで押し出し成形した玉縁又は発砲シートや不織布等を短冊状に切った素材を芯材にして挟み込んでトリミングすることにより折り返し線が長手方向に連続して雄面ファスナーの機能を維持でき、直立することを特徴とする端末機器を固定する曲線フェンス。
【請求項２】
上記曲線フェンスは接着相手となる床面素材が雌面ファスナー又はこれに類する起毛加工を施したフレンチパイル、ボア、ベロア等の素材を用いることを特徴とする端末機器を固定する曲線フェンス。
【請求項３】
請求項１に依って形成される曲線フェンスの床に接地するラインを残してフェンスの起立に不要な雄面ファスナーの両壁面を面ファスナー断面側から予め希望するフェンスの高さカラーを選択したテープでトリミングすることを特徴とする端末機器を固定する曲線フェンス。
【発明の詳細な説明】
【技術分野】
【０００１】本発明は携帯電話、ＧＰＳ，サイクルコンピューター等の移動端末機器を使用する際、これらの機器が積載台から滑落することを阻止し且つ作動中にも手で持ったり押える必要がなく常にモニター画面を確認できる端末機器の固定用曲線フェンスに関する。
【背景技術】
【０００２】以下具体的な説明として自転車での携帯機器の使用を例として説明する。
従来の自転車ツーリングで携帯電話を携行する方法は衣服のポケットに入れるかバックを用意して携行する。
サイクルコンピューター、ＧＰＳに関しても同様に確認の都度止まって取り出さなければならない。    ハンドルバーに機器を固定する方法も有るが専用の取り付けアダプターが必要となる。
サイクルコンピューターから携帯電話まで大きさ形がまちまちで全ての機器に共通する固定用のアダプターは無い。
仮にアダプターが手当て出来ても携帯電話、速度計等複数の機器がハンドル上の限られた位置に並ぶように成り乗車時のハンドルのグリップ部分が占領されてしまう。
【発明の開示】
【発明が解決しようとする課題】
【０００３】携帯電話を始めとして最近はＩＴ機器、マイクロコンピューター等の端末機器を乗り物に積載して使用することが多くなった。
たとえば今流行の自転車ツーリングに於いても携帯電話は勿論サイクルコンピュ−ター、ＧＰＳ等の端末機器を使用する。
これらの機器をそれぞれの専用取り付け具でハンドル上に固定することなく、大きさ、形状の異なる端末機器でも簡単に入れ替え出来且つ複数並べて置けるように工夫した新規の端末機器固定用の曲線フェンスを提供する。
【課題を解決するための手段】
【０００４】ハンドル、ステム上の邪魔にならない且つ機器のモニターが見やすい位置にゴムベルト又はアダプター等を用いて請求項２に係るフレンチパイルで覆われた積載台を取り付ける。
請求項１に係る曲線フェンスを使用機器の外枠に沿って曲げそのまま台座のフレンチパイル地に載せて接続する。
曲線フェンスは機器の外側に密着し台座に固定されているので車体上に在る積載台が揺れても機器が滑り落ちることは無い。
走行中でもモニターが確認でき機器の形状、サイズが変わっても曲線フェンスを機器の外形に合わせ直すだけで簡単に差し替えでき複数の機器を並べて使用することもできる。
【発明の効果】
【０００５】ハンドルの任意の位置又はステムにフレンチパイル製の台座をゴムバンドや金属、樹脂アダプターを用いて固定し、本発明の曲線フェンスで機器の外枠を囲えば走行しながら大きさ、形の異なるサイクルコンピューター、ＧＰＳ等が複数でも確認できる。
また海外品や日々革新される新機器の変化にも対応できる。
またフレンチパイル、曲線フェンスの関係は転がり易い部品の仕分け、種や部品、種類の選別等工業や農業等他の分野での応用にも極めて有効である。
【発明を実施するための最良の形態】
【０００６】以下、本発明の実施の形態に係る端末機器を固定する曲線フェンスに関してを図面沿って説明する。
ビニール玉縁１の肉盛り円筒部分のラインに沿６の外枠を囲むに足る長さでカットする。雄面ファスナーでトリミングした反対側即ち雄面ファスナーの断面側から識別目的に叶うカラー、収納機器に必要なフェンスの高さを選択したテープでトミングする。雄面ファスナーの両壁面は台座との接線を残してテープで覆われる為取り扱いが簡単に成り雄面ファスナーの表面で機器が影響されることが無い。
【図面の簡単な説明】
【０００７】
【図１】端末機器を固定する曲線フェンスの自転車でのＧＰＳ使用例上面図である
【図２】端末機器を固定する曲線フェンスの使用例Ａ−Ａ’断面図である
【図３】曲線フェンスの断面図である
【符号の説明】
【０００９】１．芯材玉縁
２．雄面ファスナー
３．保護テープ
４．フレンチパイル生地
５．透明保護ビニールカバー
６．端末機器
７．曲線フェンス
【図１】
2010155585.tif 000003
【図２】
2010155585.tif 000004
【図３】
2010155585.tif 000005
(57)【要約】      （修正有）【課題】クリーンなエネルギーを利用し、事前のエネルギー充填を必要とせず、途中エネルギー充填が必要な際には簡単に充填でき、なおかつ既存の自転車に取付けることが可能で複雑な電子制御を必要としない自転車アシスト装置を提供する。【解決手段】エアアシスト装置は、自転車の後輪とペダルの中間部両側に取付けるものである。車体の片側には、駆動力の入出力部と差動装置を、もう方側には、エアタンクとシリンダと吸排気装置を取付ける。動力回収機装置は、後輪リム側面でローラーを回転させ吸気装置を動かすものである。過剰加速時のブレーキとしての機能もある。ペダル側・後輪側は、共に既存のものを使用する。【選択図】図１
2010155597.tif 000002
【特許請求の範囲】
【請求項１】
タンク内に充填された圧縮空気を高負荷時に補助駆動力として利用する
自転車用エアアシスト装置。
【請求項２】
前記の自転車用エアアシスト装置は、踏力および推進力（惰性）で駆動輪を駆動させると共に、空気（大気）を圧縮空気として充填するものであることを特徴とする
請求項１記載の自転車用エアアシスト装置。
【請求項３】
前記の自転車用エアアシスト装置は、空気入れ等を使い事前に圧縮空気を充填する弁を合わせ持つものであることを特徴とする。
請求項１記載の自転車用エアアシスト装置。
【請求項４】
前記の自転車用エアアシスト装置は、ブレーキレバーを握ることによりエアアシスト機能を遮断することを特徴とする。
請求項１記載の自転車用エアアシスト装置。
【請求項５】
前記の自転車用エアアシスト装置は、既存する自転車にも取り付けることを特徴とする。請求項１記載の自転車用エアアシスト装置。
【請求項６】
前記の自転車用エアアシスト装置は、駆動輪負荷の割合によりアシスト率を無段階で自動調整することを特徴とする。
請求項１記載の自転車用エアアシスト装置。
【発明の詳細な説明】
【技術分野】
【０００１】この発明は、圧縮空気による自転車アシスト装置に関する。
【背景技術】
【０００２】従来のアシスト自転車は電動アシストまたはエアアシストがある。
【発明の開示】
【発明が解決しようとする課題】
【０００３】しかしながら、以上の技術によれば、電力を必要とするため二酸化炭素の排出量も一般的な自転車と比較すると多くなります。
また、バッテリーへの事前充電が必要なために電池残量がない場合は、アシスト装置は余分な負荷となってしまいます。
バッテリーへの充電時間も数時間必要となります。
アシスト装置の制御が複雑な電子制御なため専門外では修理できなくなります。
そして専用の自転車を購入しなくてはならない点  または、負荷率を電子制御でおこなっているために故障の際修理に高額となってしまいます。
この発明は、クリーンなエネルギーを利用し、事前のエネルギー充填を必要とせず、途中エネルギー充填が必要な際には簡単に充填でき、なおかつ既存の自転車に取付けることが可能で複雑な電子制御を必要としない自転車アシスト装置を提供することを課題とする。
【課題を解決するための手段】
【０００４】以上の課題を解決するために、第一発明は、タンク内に充填された圧縮空気を高負荷時に補助駆動力として利用する自転車用エアアシスト装置である。
第二発明は、踏力および推進力（惰性）で駆動輪を駆動させると共に、空気を圧縮空気として充填するものであることを特徴とする自転車用エアアシスト装置である。
第三発明は、空気入れ等を使い事前に圧縮空気を充填する弁を合わせ持つものであることを特徴とする自転車用エアアシスト装置である。
第四発明は、ブレーキレバーを握ることによりエアアシスト機能を遮断することを特徴とする自転車用エアアシスト装置である。
第五発明は、既存する自転車にも取り付けることを特徴とする自転車用エアアシスト装置である。
また、第六発明は、駆動輪に発生する負荷の割合によりアシスト率を差動歯車を用いて無段階で自動調整することを特徴とする自転車用エアアシスト装置である。
【発明の効果】
【０００５】第一発明によれば、タンク内に充填された圧縮空気を使用することで二酸化炭素の排出量も一般的な自転車と変わらない自転車用エアアシスト装置となる。
第二発明によれば、踏力および推進力（惰性）で駆動輪を駆動させると共に、空気を圧縮空気として充填することで事前充填が必要のない自転車用エアアシスト装置となる。
第三発明によれば、空気入れ等を使い必要時にも圧縮空気を充填する弁を合わせ持つものであることで充填時間を短縮することができる自転車用エアアシスト装置となる。
第四発明によれば、ブレーキレバーを握ることによりエアアシスト機能を物理的に遮断することで一般的な自転車と変わらない修理をすることができる自転車用エアアシスト装置となる。
第五発明によれば、既存する自転車にも取付けられることで専用の自転車を購入しなくてもよい自転車用エアアシスト装置となる。
第六発明によれば、駆動輪に発生する負荷の割合によりアシスト率を差動歯車で無段階で自動調整することで電子制御を必要としない自転車用エアアシスト装置となる。
【発明を実施するための最良の形態】
【０００６】  この発明の一実施形態を、図１に示す。
エアアシスト装置は、自転車の後輪とペダルの中間部両側に取付けるものである。車体の片側には、駆動力の入出力部と差動装置を、もう方側には、エアタンクとシリンダと吸排気装置を取付ける。
動力回収機装置は、後輪リム側面でローラーを回転させ吸気装置を動かすものである。過剰加速時のブレーキとしての機能もある。
ペダル側・後輪側は、共に既存のものを使用する。【０００７】「実施形態の効果」
この実施形態によれば、（図２参照）ペダルを漕ぐことで生まれた動力は、［チェーン（Ｆ）］で［スプロケットＩＩ］へ伝達され［２軸］が回転します。
［２軸］の回転は、［ギアＡ］を通して［デファレンシャルギア１］を回転させます。
［３軸］回転負荷が高い場合は、［６軸］［Ｖベルト１］［８軸］を介して［シリンダＡ］［シリンダＢ］が駆動しエアの充填を行います。
タンク内のエアが充填されますと［シリンダＣ〜Ｆ］が駆動し始め［デファレンシャルギア２］で駆動率をコントロールし［ギアＥ］［１１軸］［スプロケットＩＩＩ］［チェーン（Ｒ）］［スプロケットＩＶ］を介して後輪に駆動力が伝わります。
また、駆動力によって生じたエアの回路を、図３に示す。
［シリンダＡ］［シリンダＢ］で圧縮された空気は、［タンク１］［タンク２］へ充填されます。
［タンク１］に圧縮充填された空気は、［シリンダＣ］［シリンダＤ］を駆動させアシストを行います。
過負荷により［タンク１］の空気圧が高まりますと［差圧弁］が開放します。それにより［タンク２］の圧縮空気は、［シリンダＥ］［シリンダＦ］を駆動させ過負荷状態を解消します。そして、後輪のブレーキワイヤーを引くことにより［タンク］からの供給エアを遮断します。
【図面の簡単な説明】
【０００９】
【図１】この発明の一実施形態を示す図である。
【図２】この発明の駆動回路図である。
【図３】この発明のエア回路図である。
【図１】
2010155597.tif 000003
【図２】
2010155597.tif 000004
【図３】
2010155597.tif 000005
(57)【要約】【技術課題】ぺダリング時の内太腿の擦れを軽減又は無しとすることができるサドルとこのサドルの取付装置を提供する。【解決手段】サドル２のサドルレール３、３ａにおいて、クランプする位置の幅を２７ｍｍ〜３１ｍｍに設定する。このサドルレール３、３ａをクランプするサドルクランプ金具４には、クランプ幅を２７ｍｍ〜３１ｍｍに設定したクランプ部５、５ａを形成し、このサドルクランプ金具４を用いてサドルポスト６側に取り付けられたサドルポスト金具７に取り付ける。このように、サドルレール３、３ａの幅を２７ｍｍ〜３１ｍｍの範囲に設定すると、この分サドル２側の幅も小さく形成できることから、内太腿の擦れを大幅に軽減又は無しとすることができる。【選択図】図３
2010155568.tif 000002
【特許請求の範囲】
【請求項１】
サドルレールにおいて、クランプする位置の幅を２７ｍｍ〜３１ｍｍに設定して成る自転車用サドル。
【請求項２】
前記サドルレールをクランプする金具には、クランプ幅を２７ｍｍ〜３１ｍｍに設定したクランプ部が形成されていること、を特徴とする自転車用サドルの取付装置。
【発明の詳細な説明】
【技術分野】
【０００１】
本発明は、自転車用サドルとこのサドルをサドルポストに取り付けるための取付装置に関するもので、更に詳しくは、ペダリング時、回転の度に内太腿がサドルの側面に強く接触することによる摩擦感を軽減し、かつペダリング時に脚に力が入り易い自転車用サドル及びその取付装置に関するものである。
【０００２】
従来における自転車用サドルは、特開２００７−３２６５７０号公報に示されているように、サドルの下面に形成した２本のサドルレールをサドルポストの上端に装備した取付金具により取り付けられており、前記取付部におけるサドルレールの間隔はバランス上４３ｍｍに設定されている。
【特許文献１】特開２００７−３２６５７０号公報
【０００３】
このため、サドルを平面的に見たときのサドルの幅は、サドルレールが隠れる幅以上の大きさに形成する必要があるため、次の様な欠点がある。
【０００４】
１．サドルを取り付けるための金具部分は、丁度サドルの中間部分に位置するが、この中  間部分はライダーの太腿の内側部分に当り、このため、ペダリング時に内太腿がサドル  の側面に擦れて不快になると共にパンツに擦れ跡などが残る。特に太ったライダーの場  合にこの問題があることから、長距離を乗るときにはひざを広げ加減にしてペダリング  をしている。
【０００５】
２．しかし、このような体勢は不自然であり、またドロップハンドル付の自転車の場合に  は前傾姿勢が強いために、膝を広げ加減してペダリングすること自体に苦痛が伴う。
【０００６】
３．また、スピードが出ているときは両膝を絞った前傾姿勢をとるため、サドルの幅が大  きいとこのような際にも内太腿の擦れが大きくなる。
【０００７】
４．また、女性のライダーの場合には、ひざを開き加減すること自体抵抗感がある。
【発明の開示】
【発明が解決しようとする課題】
【０００８】
本発明は斯る点に鑑みて提供されるものであって、その目的は、内太腿の擦れを軽減し、膝を絞った姿勢で楽にぺダリングすることができるサドルとこの取付装置を提供することである。
【０００９】
上記目的を達成するため、請求項１に記載の本発明に係る自転車用サドルにおいては、サドルレールの、クランプ位置の幅を２７ｍｍ〜３１ｍｍに設定したことが特徴である。サドルレールの幅は、３０ｍｍが理想であるが、３１ｍｍ程度の幅であっても擦れは少ない。但し、幅をあまり狭くし過ぎると、サドルをクランプしたときの安定性、強度に不安が発生するため、２７ｍｍ以下とすることは実用的に問題がある。
【００１０】
更に、請求項２に記載の本発明に係るサドルクランプ金具においては、サドルレールをクランプするクランプ部の幅を２７ｍｍ〜３１ｍｍに設定したことを特徴とするものである。
【発明の効果】
【００１１】
本発明は以上のように、自転車用サドルにおいて、そのサドルレールのクランプ部分の幅を２７ｍｍ〜３１ｍｍに設定したことにより、次のような効果がある。
【００１２】
１．ぺダリング時、内太腿の擦れが軽減又は無くなることから、快適なライディングが    保障される。
【００１３】
２．内太腿の擦れが軽減又は無くなることから、パンツに擦れ跡が残らない。
【００１４】
３．内太腿の擦れが軽減又は無くなることから、膝を絞った姿勢でペダリングを行うこ    とができるため、楽な、そして力強いぺダリングを行うことができる。
【００１５】
４．膝を絞った姿勢でぺダリングができるため、特に女性に歓迎される。
【００１６】
５．サドルの取付金具のクランプ幅をサドルレールの幅に合わせ、サドルポスト側への    取付部を従来の取付部と同一構造とした取付装置を用いることにより、従来の４３ｍ    ｍ幅のサドルを本発明の２７ｍｍ〜３１ｍｍ幅のサドルレール付サドルに交換して使    用することができる。
【実施例】
【００１７】
上記本発明の実施例を図１〜図４に基づいて詳細に説明する。図１は、本発明に係るサドルを取り付けた自転車の説明図、図２はサドルレールと取付金具の説明図、図３はサドル全体の底面図、図４はサドルポストにサドルを取り付けた状態の説明図である。
【００１８】
上記各図において、１は自転車、２はサドルであって、このサドル２のサドルレール３、３ａにおけるクランプ部分の幅Ｗは３０ｍｍである。４はサドルクランプ金具であって、このサドルクランプ金具４のクランプ部５、５ａの幅は３０ｍｍに設定されていて、サドル２側のサドルレール３、３ａはこのサドルクランプ金具４のサドルクランプ部５、５ａによりクランプされている。７はサドルポスト６のトップに取り付けられたサドルポスト金具であって、前記サドルクランプ金具４は、ボルト８、８ａによりこのサドルポスト金具７に固定されている。
【００１９】
なお、本実施例のサドルポスト金具７は３０ｍｍ幅のサドルレール専用となっているが、従来の４３ｍｍ幅のサドルクランプ金具と兼用としても良い。
【産業上の利用分野】
【００２０】
１．レース用自転車のサドル
２．ホビー用自転車のサドル
３．通常の自転車のサドル
【図面の簡単な説明】
【００２１】
【図１】本発明に係るサドルを取り付けたホビー用自転車の説明図
【図２】サドルレールとサドルクランプ金具の説明図
【図３】サドルの底面全体とサドルレールの幅の説明図
【図４】サドルポスト上にサドルを取り付けた状態の説明図
【符号の説明】
【００２２】
１  自転車
２  サドル
３、３ａサドルレール
４  サドルクランプ金具
５、５ａ  クランプ部
６  サドルポスト
７  サドルポスト金具
８、８ａ  ボルト
【図１】
2010155568.tif 000003
【図２】
2010155568.tif 000004
【図３】
2010155568.tif 000005
【図４】
2010155568.tif 000006
(57)【要約】      （修正有）【課題】バスタオルやサーフィンをした後に使用する、お着替えポンチョを干すのに用いるハンガーの形状は、幅が不十分で乾きにくく、また、幅が十分あるハンガーでも場所を取り、収納、持ち運びには使い勝手が悪かった。【解決手段】ハンガー本体の幅のサイズ５を１００センチ以上にすることで、バスタオルやサーフィンをした後に使用する、お着替えポンチョがすっきり干せる。そしてハンガー本体の中心部分２から半分に折りたため、さらにフック３が３６０度回転し、４方向へ折りたためることにより、コンパクトになり、収納、持ち運びが容易になる。【選択図】図１
2010155043.tif 000002
【特許請求の範囲】
【請求項１】
ハンガーの幅を広くし、二つに折りたため、コンパクトになることを特徴とするハンガー。
【請求項２】
ハンガー中心部から二つに折りたため、フック部分も回転して折りたためることを特徴とする請求項１記載のハンガー。
【発明の詳細な説明】
【技術分野】
【０００１】  この発明は、バスタオルやサーフィンをした後に使用するお着替えポンチョを干すのに用いるハンガーの形状に関する。
【背景技術】
【０００２】  一般的に多く見られるハンガーの形状は、図５に示すように一般的な衣類等を干すものである。
【発明の開示】
【発明が解決しようとする課題】
【０００３】しかしながら、以上の技術によれば、バスタオルやサーフィンをした後に使用する、お着替えポンチョを干すには幅が不十分であり、乾きにくかった。また、幅が十分にあるハンガーだと大きく収納に不便であった。
そこで、この発明は、バスタオルやサーフィンをした後に使用する、お着替えポンチョがすっきり干せ、尚且つ収納、持ち運びのことを考え、折りたたんでコンパクトになるハンガーを提供することを課題とする。
【課題を解決するための手段】
【０００４】  以上の課題を解決するために、第一発明は、ハンガーの幅を広くしたことと、収納、持ち運びの便利さを考え二つに折りたため、コンパクトになることを特徴とするハンガーである。
また、第二発明は、ハンガーの幅を広くしコンパクトになる。このコンパクト化はハンガーの中心部分から二つに折りたため、フック部分も回転し折りたためることを特徴とするハンガーである。
【発明の効果】
【０００５】  第一発明、または第二発明によれば、バスタオルやサーフィンをした後に使用する、お着替えポンチョがすっきり干せ、乾きやすくなり、また折りたためることにより、収納、持ち運びが容易になる。
【発明を実施するための最良の形態】
【０００６】  この発明の一実施形態を、図１、図２、図３に示す。
ハンガー本体１はプスチック製であり、図１に示すハンガー本体の幅のサイズ５は１００センチ以上であり、図２に示す本体２の部分から二つに折りたためる。また、本体３のフック部分は３６０度回転し、図３に示す４の方向へ折りたためるように出来ている。【０００７】「実施形態の効果」
この実施形態によれば、ハンガー本体の幅のサイズ５によって、バスタオルやサーフィンをした後に使用する、お着替えポンチョを干すには十分な幅である。さらにフック３が３６０度回転することによりハンガーを掛ける場所の範囲が広がる。そしてハンガーの中心部分２が折りたため、フック３も４方向へ倒れることにより、収納、持ち運びが容易になる。【０００８】「他の実施形態」
図１、図２、図３の実施形態では、折りたためる事によりコンパクト化を実現したものであったが、他の実施形態では、図４のようにハンガー本体１の一部Ａをスライドさせてコンパクト化を実現するものでも良い。
【図面の簡単な説明】
【０００９】
【図１】この発明の一実施形態を示す斜視図である。
【図２】従来技術を示す斜視図である。
【符号の説明】
【００１０】１  ハンガー本体                ２  ハンガー本体の中心部分（折り畳み部分）
３  フック                      ４  フックの折り曲がる方向
５  ハンガー本体の幅のサイズ
【図１】
2010155043.tif 000003
【図２】
2010155043.tif 000004
【図３】
2010155043.tif 000005
【図４】
2010155043.tif 000006
【図５】
2010155043.tif 000007
【手続補正書】
【提出日】平成21年4月1日(2009.4.1)
【手続補正１】
【補正対象書類名】明細書
【補正対象項目名】０００９
【補正方法】変更
【補正の内容】
【０００９】
【図１】この発明の一実施形態を示す正面図である。
【図２】この発明の一実施形態を示す中央部分拡大図である。
【図３】この発明の一実施形態を示す折りたたみ時の正面図である。
【図４】従来技術を示す正面図である。
【図５】この発明を基に他の一実施形態を示す正面図である。
(57)【要約】【課題】  鴨居等の突き出し部に簡単に固定できて、取付け取外しが簡単な部屋干しアームを提供する。【解決手段】  タップネジ、丸穴を設けた二本の長板を、両端にネジを設けた二本の丸棒で井型に組み、さらに長板の下部には物を掛けられるアームを簡単に取付け、取り外しができる取付けピンを設けたもので、さらにアームには、その取付けピンに取付け、取り外しをするための丸穴があいていることを特徴とする部屋干し具。【選択図】図１
2010155047.tif 000002
【特許請求の範囲】
【請求項１】
タップネジ、丸穴を設けた二本の長板を、両端にネジを設けた二本の丸棒で井型に組み、さらに長板の下部には物を掛けられるアームを簡単に取付け、取り外しができる取付けピンを設けたもので、さらにアームには、その取付けピンに取付け、取り外しをするための丸穴があいていることを特徴とする部屋干し具。
【発明の詳細な説明】
【技術分野】
【０００１】  本発明は、たとえば鴨居のような突き出た所を利用して、二本の長板を上と下でネジで押え、物を掛けるためのアームを取り付けた部屋干し具に関するものである。
【背景技術】
【０００２】  従来、部屋干し具は、大きなものから、わりと小さなものまで色々なものが多くあるが、床に置くものが主流である。また鴨居のような突き出した所を利用するものもいくつかある。
【発明の開示】
【発明が解決しようとする課題】
【０００３】  そのために、次のような問題点があった。
（イ）、部屋干し具は主に床に置くものが多く、部屋のスペースが狭くなり生活が不便となった。
（ロ）、たとえば、鴨居のような突き出した所を利用する部屋干し具は、下に落ちやすかったり、戸が閉められないものがあった。
（ハ）、壁の所の突き出している部分に掛けるものは、干す物と壁との距離が小さく、干物と壁が汚れたり、干し物の乾きも悪かった。
（ニ）、鴨居のような突き出た所を利用する部屋干し具は、取り外す時には全部を取り外さなければならなかった。
本発明は、これらの問題点を解決するためになされたものである。
【課題を解決するための手段】
【０００４】  タップネジ、穴を設けた二本の長板を、両端にネジを設けた二本の丸棒で井型に組みたてる。さらに長板の下部には、物を掛けられるアームを簡単に取付け、取り外しができる取付けピンを設けたものである。さらにアームには、その取付けピンに取付け、取り外しをするための穴があいている。以上を特徴とする部屋干し具である。
【発明の効果】
【０００５】  部屋の鴨居等の突き出た所にネジで締めて取付けるので部屋が狭くならず、下に落ちないし戸を閉められる。さらに不要の時は、物を掛けるアームだけを簡単に取り外せるので便利である。
【発明を実施するための最良の形態】
【０００６】  以下、本発明の実施の形態について説明する。
（イ）、長板Ａ（３）、にタップネジと丸穴を設け、長板Ｂ（４）、にタップネジを設け、長板Ｂ（４）、の下に取付けピン（６）、を設ける。
（ロ）、ネジＡ（１）、とネジＢ（２）、の両端に長いネジと短いネジを設け、短いネジ部は少しゆるい（ガタガタ）ネジとする。
（ハ）、長板Ｂ（４）、にタップネジが四ケ所あるうちの二ケ所は、鴨居の下側が、飾りでまるくなったり、へこんだりしているものが多いための対策の予備である。使用するものは二ケ所のみである。
本発明は、以上の構成よりなっている。
本発明を使用するときは、長板Ａ（３）、のタップネジ部にネジＡ（１）、の長いネジをねじ入れ、長板Ｂ（４）、のタップネジ部にネジＡ（１）、の短いネジをねじ入れる。長板Ａ（３）、の丸穴にネジＢ（２）、の長いネジを入れてから長板Ｂ（４）、のタップネジ部にネジＢ（２）、の短いネジをねじ入れると井型の形状ができる。
長板Ａ（３）、と長板Ｂ（４）、との距離を鴨居等の中にある程度合わせる。
鴨居等の巾部を、長板Ａ（３）、と長板Ｂ（４）、ではさみ蝶ナット（５）、で締め固定する。
アーム（７）、の丸穴を取付ピン（６）、に差込み終了する。
アーム（７）、の丸穴を長板Ｂ（４）、に設けた取付ピン（６）、に差込むが、ネジＡ（１）、から取付ピン（６）、までの六点全てとアーム（７）、は一体化、固定化されていないのでアーム（７）、にかかる荷重は、ほぼ真下にかかり鴨居等から外れにくくなる。取付ピン（６）、の位置を、ネジＢ（２）、側のほうに近づけて設ければ、なお一層外れにくくなる。
ネジＡ（１）、とネジＢ（２）、の短いネジ部のネジを、長板Ｂ（４）、のタップネジに対して少しゆるくすることにより鴨居等に締め付けるための予裕ができる。
【図面の簡単な説明】
【０００７】
【図１】  本発明の取付けを示す斜視図
【図２】  本発明の側面図
【符号の説明】
【０００８】１．ネジＡ
２．ネジＢ
３．長板Ａ
４．長板Ｂ
５．蝶ナット
６．取付ピン
７．アーム
【図１】
2010155047.tif 000003
【図２】
2010155047.tif 000004
(57)【要約】【課題】  最近は色々な所で事件や事故が多発していて、その映像を見ているとコンクリの上に横たえられているのが見てとれます、少しでも速く担架に乗せてあげられていればと思う事が多いので考えてみました。【解決手段】  車の事故で中の人を少しでも助ける為に利用されているエアーバックの利用方法を別の観点で考えて何時でも、何処でも迅速に担架として使えるように工夫をした担架になるエアーバックシステム。【選択図】図１
2010155001.tif 000002
【特許請求の範囲】
【請求項１】
担架に利用する為の形状にしたエアーバックシステム。
【発明の詳細な説明】
【技術分野】
【０００１】  本発明は、エアーバックが今まで自動車の事故災害から車内の人間を守る事を役割と考えて利用されてきましたが、他の利用にもその役割が有ると考えました。
【背景技術】
【０００２】  従来、エアーバックは自動車事故時に利用する事が大きな目的とされてきました、そして小型に収納出来、瞬時に動作させる事が必要でその技術的な問題は殆ど解決しています。
【発明の開示】
【発明が解決しようとする課題】
【０００３】  今まで、道路や駅のホームなどで人が具合悪くなったり、事故等で危急な救助が必要な時に担架の手配が出来てもなかなか急病人の所に運んでくるだけでも大分時間が掛かっています、此も担架の形状の為にどこにでもおいておける形状でない為で緊急時には何処にでも置いておけ速やかに患者を担架に乗せて移動出来る目的としたエアーバックシステムを利用した担架です。
【課題を解決するための手段】
【０００４】  まず、何処にでも収納出来て、何時でもすぐに利用出来るようにする為に収納時の形状を出来るだけ小型にし、担架として利用する時の形状に短時間で出来る様にする為にエアーバックの瞬時に膨らむ事を利用する。【０００５】  動作前の形状が小型に出来る為に収納して置く所が無限に近くなり何処にでも収納しておける、電車やバスの座席の下、ホームのキオスク、地下街のお店等に置いて置けば、すぐに利用出来る。
【発明の効果】
【０００６】  今までは、普通の人がその場所の近くに居て何か手伝いが出来ないかと考えても、殆ど手をこまねいて居るだけでした、もしこの様なシステムが出来れば多くの人の善意ですぐにでも手伝いが出来るようになると思います。
【発明を実施するための最良の方法】
【０００７】  成るべく形状はシンプルにして誰にでも扱えるような形状にする事が大事で、扱い初めの膨らませる速度は自動車の使用時とは違い、膨らむ速さは大分遅くても良い。
【０００８】  搬送時には出来るだけ４人ほどで安全に搬送出来るようにする。
【図面の簡単な説明】
【０００９】
【図１】  本発明の俯瞰図
【符号の説明】
【００１０】    １  本体エアーバック
２  搬送時の持ち手
【図１】
2010155001.tif 000003
(57)【要約】【課題】  奥行の深い引出しは手前に十分なスペースがあれば問題ないが、狭い部屋のベッドの下などは１ｍ以上の収納具を置けても、引出すスペースが無い為に奥の物が取り出せなかった。【解決手段】  引出しの中に円形の容器をベアリングで回転させれば、奥の物が取り出せる。【選択図】図１
2010155002.tif 000002
【特許請求の範囲】
【請求項１】
引出しの底の部分にベアリング付きレールを取り付けて、その引出しの中に円形の容器をベアリングで回転させ、奥の物を廻して手前で取り出せる  回転引出し付き収納具
【発明の詳細な説明】
【技術分野】
【０００１】    本発明は、手の届かない奥の物を取り出せる収納具である。
【背景技術】
【０００２】    従来の引出しは奥の物を取り出そうとすれば、全部引出さなければ取り出せないので奥行は３５ｃｍ〜４５ｃｍくらいになっている。
【発明の開示】
【発明が解決しようとする課題】
【０００３】    従来の収納具は奥行があっても、手前に引出すスペースが無ければ取り出せないため、ベッドの下など１ｍ以上の奥行があってもほとんど４５ｃｍ以上の物は無く、その奥のスペースは遊んでいる。【０００４】    本発明は、従来の引出しでは奥の物が取り出せない為、引出しの箱の中に円形の容器を回転させて、奥の物も簡単に取り出せるようにしたものです。
【課題を解決するための手段】
【０００５】    本発明は、従来の引出しの箱の中に円形の容器を取り付け回転させるものですが、円形の容器の中の重量が円の中心一点に集中する為、回転軸の真下にベアリング付きのレールを取り付け、引出しがスムーズに動くようにしたものです。
【発明の効果】
【０００６】    上述したように、１ｍ以上も奥にある物をその半分以下の３０ｃｍ程度引き出して回転させれば簡単に取り出す事ができるので、同じスペースに何倍もの収納をする事ができます。
【発明の実施するための最良の形態】
【０００７】    以下本発明実施の形態を図１〜図３に基づいて説明する。
【０００８】    図１の１が収納具本体の外箱で、２の引出しの箱を９のベアリング付きレール３ヶでスライドするように連結させ、１０の回転用ベアリングで２の引出し箱と３の円形の容器と十文字に組んだ４の骨板を一体化させたものを取り付けて回転させる。
【０００９】    図３の３のように、円形容器はプラスチックが最適だと思うので、強度を保つため木製の板を組んでその交点に回転用ベアリングを取り付ける。又、製造過程の輸送コストを考えてプラスチックの厚みに合わせて重ね合わせられる角度の円錐形が良い。
【実施例】
【００１０】    以上の収納具９０ｃｍ角を２ヶ作り、その上に畳を１枚敷き布団を敷いてベッドとして使うと４の骨板で仕切られているので、下着やパジャマ、靴下やタオル等毎日の生活に必要な物が分類でき、回らない部分の５と６は小物入れ、ふだんは見えない奥の７と８には防虫剤等を入れるのが良い。
【産業性】
【００１１】    狭いワンルームマンションや病院の病室等、収納スペースの少ない部屋のベッドの下や、工場等の工作台の下の工具入れ等に適している。
【図面の簡単な説明】
【００１２】
【図１】本発明の回転引出し収納全体の姿図
【図２】引き出しの平面図
【図３】引き出しの断面図
【符号の説明】
【００１３】    １．  外箱
２．  引出し
３．  回転用器
４．  骨板
５．  小物入れスペース
６．  上同
７．  ふだん必要無い物を入れるスペース（防虫剤等）
８．  上同
９．  ベアリング付きスライド式レール
１０．回転用ベアリング
【図１】
2010155002.tif 000003
【図２】
2010155002.tif 000004
【図３】
2010155002.tif 000005